(57)【要約】【課題】通信の不具合による誤動作を回避可能な表示装置を提供する。【解決手段】プロジェクター２は、通信を介してＡＶアンプ４と接続可能であり、ＡＶアンプ４の状態に関する問い合せコマンドを送信し、制御コマンドを受信する無線通信部２２と、受信した制御コマンドを解析してＡＶアンプ４の状態を示すステータス情報を抽出し、抽出したステータス情報に基づいて動作を制御する制御部２１と、を備え、制御部２１は、送信した問い合せコマンドに対してＡＶアンプ４が応答した第１制御コマンドを受信した場合、第１制御コマンドから第１ステータス情報を抽出し、問い合せコマンドの送信に依ることなくＡＶアンプ４が送信した第２制御コマンドを受信した場合、第２制御コマンドから第２ステータス情報を抽出し、第１ステータス情報と比較し、２つのステータス情報が異なる場合、第１ステータス情報に基づいて動作を決定する。【選択図】図１
2016091160.tif 000002
【特許請求の範囲】
【請求項１】
通信を介して外部機器と接続可能な表示装置であって、
前記外部機器の状態を問い合わせる問い合せコマンドを送信する送信部と、
前記外部機器から送信された制御コマンドを受信する受信部と、
前記受信部が受信した前記制御コマンドを解析して前記外部機器の状態を示すステータス情報を抽出し、抽出した前記ステータス情報に基づいて動作を制御する制御部と、を備え、
前記制御部は、前記送信部が送信した前記問い合せコマンドに対して前記外部機器が応答した第１制御コマンドを前記受信部が受信した場合、受信した前記第１制御コマンドから第１ステータス情報を抽出し、前記問い合せコマンドの送信に依ることなく前記外部機器が送信した第２制御コマンドを前記受信部が受信した場合、受信した前記第２制御コマンドから第２ステータス情報を抽出して前記第１ステータス情報と比較し、前記第１ステータス情報と、前記第２ステータス情報と、が異なる場合、前記第１ステータス情報に基づいて前記動作を決定することを特徴とする表示装置。
【請求項２】
請求項１に記載の表示装置において、
前記制御部は、前記ステータス情報を所定時間に亘り取得できない場合、前記問い合せコマンドを前記送信部に送信させることを特徴とする表示装置。
【請求項３】
請求項１乃至２のいずれかに記載の表示装置において、
前記問い合せコマンドは、接続されている前記外部機器の有無を確認するための確認コマンドを含むことを特徴とする表示装置。
【請求項４】
請求項３に記載の表示装置において、
前記制御部は、前記送信部に送信させた前記確認コマンドに対する応答に基づいて、前記外部機器が接続されていると判断した場合、前記外部機器に対する前記問い合せコマンドの送信を前記送信部に指示することを特徴とする表示装置。
【請求項５】
請求項３に記載の表示装置において、
前記制御部は、前記送信部に送信させた前記確認コマンドに対する応答に基づいて、前記外部機器が接続されていないと判断した場合、前記外部機器に対する前記問い合せコマンドの送信を前記送信部に指示しないことを特徴とする表示装置。
【請求項６】
請求項１乃至５のいずれか１項に記載の表示装置において、
画像データに基づいて画像を表示する表示部を備え、
前記受信部は、前記外部機器から送信される前記画像データを受信し、
前記制御部は、受信した前記画像データに対して画像処理を施して前記表示部に表示させることを特徴とする表示装置。
【請求項７】
通信を介して外部機器と接続可能な表示装置の制御方法であって、
前記外部機器の状態を問い合わせる問い合せコマンドを送信し、前記問い合せコマンドに対して前記外部機器が応答した第１制御コマンドを受信する第１受信工程と、
受信した前記第１制御コマンドから第１ステータス情報を抽出する第１抽出工程と、
前記問い合せコマンドの送信に依ることなく前記外部機器が送信した第２制御コマンドを受信する第２受信工程と、
受信した前記第２制御コマンドから第２ステータス情報を抽出する第２抽出工程と、
前記第１ステータス情報と、前記第２ステータス情報と、を比較する比較工程と、
比較工程で比較した結果、前記第１ステータス情報と、前記第２ステータス情報と、が同じか、否かを判定する判定工程と、
前記第１ステータス情報と、前記第２ステータス情報と、が異なる場合、前記第１ステータス情報に基づいて動作を決定する決定工程と、を有することを特徴とする表示装置の制御方法。
【発明の詳細な説明】
【技術分野】
【０００１】
本発明は、表示装置および表示装置の制御方法に関する。
【背景技術】
【０００２】
従来、複数の装置がコマンドを送受信して、通信相手の装置を制御する技術が知られている。例えば、ＨＤＭＩ（登録商標）規格は、装置がコマンドにより他の装置を制御するＣＥＣ（Consumer Electronics Control）を含む。
この種のコマンドを使用する通信装置のうち、通信ができない場合の対策を備えたものがある（例えば、特許文献１参照）。特許文献１記載の装置は、ＣＥＣにより通信を行う機器の不通を検出して、不通となった機器にリセット命令を送信してリセットさせる。
【先行技術文献】
【特許文献】
【０００３】
【特許文献１】特開２０１０−０１５４０３号公報
【発明の概要】
【発明が解決しようとする課題】
【０００４】
特許文献１記載の装置では通信の不通の対策を行えるが、不通が検出されない場合の対策は困難であった。例えば、一時的にコマンドの送受信が失敗してコマンドが欠落した場合、その後に通信が可能になれば不通ではないため、不通を検出できない。しかしながら、コマンドが欠落することで機器の動作に不整合が生じる可能性があった。
本発明は上記事情に鑑みてなされたものであり、複数の装置間でコマンドを送受信する場合に、通信の不具合による誤動作を回避可能な表示装置および表示装置の制御方法を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる表示装置は、通信を介して外部機器と接続可能な表示装置であって、前記外部機器の状態を問い合わせる問い合せコマンドを送信する送信部と、前記外部機器から送信された制御コマンドを受信する受信部と、前記受信部が受信した前記制御コマンドを解析して前記外部機器の状態を示すステータス情報を抽出し、抽出した前記ステータス情報に基づいて動作を制御する制御部と、を備え、前記制御部は、前記送信部が送信した前記問い合せコマンドに対して前記外部機器が応答した第１制御コマンドを前記受信部が受信した場合、受信した前記第１制御コマンドから第１ステータス情報を抽出し、前記問い合せコマンドの送信に依ることなく前記外部機器が送信した第２制御コマンドを前記受信部が受信した場合、受信した前記第２制御コマンドから第２ステータス情報を抽出して前記第１ステータス情報と比較し、前記第１ステータス情報と、前記第２ステータス情報と、が異なる場合、前記第１ステータス情報に基づいて前記動作を決定することを特徴とする。
【０００７】
このような構成によれば、送信部が送信した問い合せコマンドに対して外部機器が応答した第１制御コマンドを受信部が受信した場合、受信した第１制御コマンドから第１ステータス情報を抽出し、問い合せコマンドの送信に依ることなく外部機器が送信した第２制御コマンドを受信部が受信した場合には、受信した第２制御コマンドから第２ステータス情報を抽出して第１ステータス情報と比較し、第１ステータス情報と、第２ステータス情報と、が異なる場合、第１ステータス情報に基づいて動作を決定する。従って、通信の不通により、外部機器が送信した第２ステータス情報を正常に取得できない場合、問い合せコマンドに対する応答により取得した第１ステータス情報に基づいて動作を決定するため、通信の不具合による誤動作を回避できる。
【０００８】
［適用例２］
上記適用例にかかる表示装置において、前記制御部は、前記ステータス情報を所定時間に亘り取得できない場合、前記問い合せコマンドを前記送信部に送信させることが好ましい。
【０００９】
このような構成によれば、ステータス情報を所定時間に亘り取得できない場合、外部機器に問い合せコマンドが送信するため、通信の不具合により外部機器からステータス情報を取得できない場合、問い合せコマンドの応答によりステータス情報を取得できる。
【００１０】
［適用例３］
上記適用例にかかる表示装置において、前記問い合せコマンドは、接続されている前記外部機器の有無を確認するための確認コマンドを含んでも良い。
【００１１】
［適用例４］
上記適用例にかかる表示装置において、前記制御部は、前記送信部に送信させた前記確認コマンドに対する応答に基づいて、前記外部機器が接続されていると判断した場合、前記外部機器に対する前記問い合せコマンドの送信を前記送信部に指示することが好ましい。
【００１２】
［適用例５］
上記適用例にかかる表示装置において、前記制御部は、前記送信部に送信させた前記確認コマンドに対する応答に基づいて、前記外部機器が接続されていないと判断した場合、前記外部機器に対する前記問い合せコマンドの送信を前記送信部に指示しないことが好ましい。
【００１３】
このような構成によれば、外部機器が接続されていると判断した場合には問い合せコマンドを送信し、外部機器が接続されていないと判断した場合には問い合せコマンドを送信しないため、外部機器との接続に応じて問い合せコマンドを送信できる。
【００１４】
［適用例６］
上記適用例にかかる表示装置において、画像データに基づいて画像を表示する表示部を備え、前記受信部は、前記外部機器から送信される前記画像データを受信し、前記制御部は、受信した前記画像データに対して画像処理を施して前記表示部に表示させても良い。
【００１５】
［適用例７］
本適用例にかかる表示装置の制御方法は、通信を介して外部機器と接続可能な表示装置の制御方法であって、前記外部機器の状態を問い合わせる問い合せコマンドを送信し、前記問い合せコマンドに対して前記外部機器が応答した第１制御コマンドを受信する第１受信工程と、受信した前記第１制御コマンドから第１ステータス情報を抽出する第１抽出工程と、前記問い合せコマンドの送信に依ることなく前記外部機器が送信した第２制御コマンドを受信する第２受信工程と、受信した前記第２制御コマンドから第２ステータス情報を抽出する第２抽出工程と、前記第１ステータス情報と、前記第２ステータス情報と、を比較する比較工程と、比較工程で比較した結果、前記第１ステータス情報と、前記第２ステータス情報と、が同じか、否かを判定する判定工程と、前記第１ステータス情報と、前記第２ステータス情報と、が異なる場合、前記第１ステータス情報に基づいて動作を決定する決定工程と、を有することを特徴とする。
【００１６】
このような方法によれば、送信部が送信した問い合せコマンドに対して外部機器が応答した第１制御コマンドを受信部が受信した場合、受信した第１制御コマンドから第１ステータス情報を抽出し、問い合せコマンドの送信に依ることなく外部機器が送信した第２制御コマンドを受信部が受信した場合には、受信した第２制御コマンドから第２ステータス情報を抽出して第１ステータス情報と比較し、第１ステータス情報と、第２ステータス情報と、が異なる場合、第１ステータス情報に基づいて動作を決定する。従って、通信の不通により、外部機器が送信した第２ステータス情報を正常に取得できない場合、問い合せコマンドに対する応答により取得した第１ステータス情報に基づいて動作を決定するため、通信の不具合による誤動作を回避できる。
【図面の簡単な説明】
【００１７】
【図１】実施形態に係る表示システムの構成を示すブロック図。
【図２】表示システムが送受信するデータ及びコマンドを示す説明図。
【図３】表示システムがコマンドを送受信する場合の各部の動作を示すシーケンス図。
【発明を実施するための形態】
【００１８】
以下、本発明の実施形態について図面を参照して説明する。
【００１９】
（実施形態）
【００２０】
以下、図面を参照して本発明の実施形態について説明する。
図１は、本発明を適用した実施形態に係る表示システム１の構成を示すブロック図である。
表示システム１は、プロジェクター２、無線送信機３、及び、ＡＶ（Audio Visual）アンプ４を備える。ＡＶアンプ４には、映像ソース機器１０が接続され、ＡＶアンプ４は無線送信機３と接続される。無線送信機３はプロジェクター２と無線通信可能に接続される。また、ＡＶアンプ４にはスピーカー５が外部接続される。尚、本実施形態では、プロジェクター２は表示装置に相当し、ＡＶアンプ４および無線送信機３は外部機器に相当する。
【００２１】
本実施形態では、映像ソース機器１０、ＡＶアンプ４、無線送信機３、及びプロジェクター２をＨＤＭＩ（High-Definition Multimedia Interface）で接続する例を示す。映像ソース機器１０、ＡＶアンプ４、無線送信機３及びプロジェクター２が送受信するデータは、ＨＤＭＩフォーマットの映像データ、音データ、及び、制御データ（制御コマンド）としてのＣＥＣコマンドを含む。
【００２２】
映像ソース機器１０とＡＶアンプ４とはＨＤＭＩケーブル１１で接続され、映像ソース機器１０がソース機器、ＡＶアンプ４がシンク機器として動作する。また、無線送信機３とＡＶアンプ４とはＨＤＭＩケーブル１３で接続され、ＡＶアンプ４がソース機器、無線送信機３がシンク機器として動作する。ＨＤＭＩケーブル１１、１３は映像データ、音データ、及び、ＣＥＣコマンドを含むデータを伝送する。映像ソース機器１０は、静止画像の画像データ、及び、動画像（映像）の映像データを送信でき、本実施形態では映像データを送信する場合を例示する。
【００２３】
無線送信機３とプロジェクター２とは、無線通信リンク１５で接続される。無線通信リンク１５は、映像データ、音データ、及び制御データを伝送可能な無線通信回線であり、例えば、ＨＤＭＩのデータ及びＣＥＣコマンドを無線伝送可能な、WirelessHD（登録商標）等を利用できる。無線通信リンク１５の具体的構成は上記に限定されず、例えば、ＷＨＤＩ（登録商標）（Wireless Home Digital Interface）、ＷｉＧｉｇ（登録商標）、ＩＥＥＥ８０２．１１ａｄ（ＴＧａｄ）等の無線通信インターフェイスを用いることも可能である。表示システム１は、ＨＤＭＩのデータ及びＣＥＣコマンドを無線通信リンク１５で伝送する際に、異なるフォーマットのデータに変換してもよい。
【００２４】
図２は、表示システム１が送受信するデータ及びコマンドを示す説明図である。
ＨＤＭＩインターフェイスの機能により、プロジェクター２、無線送信機３及びＡＶアンプ４はデイジーチェーン接続され、映像データ、音データ、及びＣＥＣコマンドをパススルー伝送する。
映像ソース機器１０は、ＡＶアンプ４に対して、映像データ及び音データを含むデータを送信する。また、映像ソース機器１０は、ＣＥＣコマンドを含むデータを送信してもよい。ＡＶアンプ４は、映像ソース機器１０から受信するデータに含まれる音データに基づき、音声信号を生成してスピーカー５に出力し、スピーカー５から音を出力する。
【００２５】
ＡＶアンプ４は、映像ソース機器１０が送信するデータを、無線送信機３にパススルー伝送する。無線送信機３は、ＡＶアンプ４が送信するデータを受信し、６０ＧＨｚ帯の無線信号としてプロジェクター２に送信する。プロジェクター２は、無線送信機３が送信するデータに含まれる映像データに基づき、画像をスクリーンＳＣに投射する。
【００２６】
プロジェクター２は、ＣＥＣコマンドを生成して無線送信機３に送信する機能を有する。無線送信機３はプロジェクター２が送信するＣＥＣコマンドを受信して、ＡＶアンプ４に送信し、ＡＶアンプ４は無線送信機３が送信するＣＥＣコマンドを受信する。このＣＥＣコマンドは、後述するように、ＡＶアンプ４の動作状態を問い合わせるコマンドである。ＡＶアンプ４は、受信したＣＥＣコマンドの応答として、動作状態を示すＣＥＣコマンドを生成して無線送信機３に送信し、このＣＥＣコマンドを無線送信機３がプロジェクター２に無線送信する。
【００２７】
図１に示す映像ソース機器１０は、映像データ及び音データを出力可能な装置であれば特に限定されない。例えば、映像ソース機器１０は、ＤＶＤ（Digital Versatile Disk）再生装置、Blu-Ray（登録商標）再生装置、テレビチューナー装置、ＣＡＴＶ（Cable television）のセットトップボックス、ビデオゲーム装置、パーソナルコンピューター等である。また、携帯型の映像再生装置や音楽再生装置、携帯型電話機、スマートフォン、タブレット型コンピューター、ノート型コンピューター等の携帯型の機器を映像ソース機器１０として用いることも可能である。本実施形態では、映像ソース機器１０の出力データのフォーマット等は制限されず、上記に例示した映像ソース機器１０が使用できるものならどんなＨＤＭＩフォーマットでもよい。
【００２８】
ＡＶアンプ４は、通信部４１、４２、制御部４３、音処理部４４、音響回路４５、及び操作部４６を備える。
通信部４１、４２はＨＤＭＩケーブルを接続可能なコネクター、及び、インターフェイス回路を備え、ＨＤＭＩフォーマットのデータ通信を実行する。このインターフェイス回路は、ＨＤＭＩレシーバー、ＨＤＭＩトランスミッター等を備える構成とすることができる。また、通信部４１、４２はＨＤＭＩコントローラーやＣＥＣコントローラーを備え、接続検出機能、ＣＥＣコマンドの検出機能等を有してもよい。
通信部４１は、ＨＤＭＩケーブル１１に接続され、通信部４２はＨＤＭＩケーブル１３に接続される。
【００２９】
制御部４３には、操作部４６が接続される。操作部４６は、ユーザーが入力操作を行うキースイッチ等の操作子を備え、操作子が操作された場合に、操作信号を制御部４３に出力する。操作部４６は、リモコン（図示略）が送信する無線信号を受信する受信部であってもよく、この場合、操作部４６は、リモコンから受信した無線信号に対応する操作信号を制御部４３に出力する。
【００３０】
制御部４３は、通信部４１、４２、及び音処理部４４を制御する。制御部４３は、通信部４１により映像ソース機器１０からデータを受信した場合、受信したデータを、通信部４２により無線送信機３に送信させる。ここで、通信部４１が、制御部４３による制御を必要とせず、映像ソース機器１０から受信したデータをそのまま出力するパススルー伝送を行ってもよい。また、制御部４３は、操作部４６の操作に従って、音処理部４４及び音響回路４５を制御する。制御部４３は、音処理部４４における音データの処理、及び、音響回路４５におけるゲインの指定等を行う。
【００３１】
音処理部４４は、通信部４１により受信されたデータから音データを抽出し、この音データに基づき音声信号を生成して、音響回路４５に出力する。音処理部４４は、例えば、ＨＤＭＩフォーマットの音データをデコードするデコーダー、デジタル音データをアナログ音声信号に変換するＤ／Ａコンバーター等を備える。
音響回路４５は、音処理部４４が出力する音声信号を、制御部４３が指定するゲインで増幅してスピーカー５に出力し、スピーカー５を駆動して音を出力させる。
ここで、音処理部４４及び音響回路４５は、デジタルアンプとして構成され、デジタルデータをアナログ音声信号に変換せず増幅してスピーカー５に出力してもよい。また、スピーカー５は音を出力可能なものであればよく、音声信号を増幅する回路を有するアクティブスピーカーであってもよい。また、デジタルデータを入力可能なスピーカーであってもよく、ユーザーが装着するヘッドホンであってもよい。また、音響回路４５とスピーカー５との間を無線通信により接続してもよい。
【００３２】
また、制御部４３は、操作部４６の操作に従ってＡＶアンプ４の電源をオン、オフする機能を有する。ＡＶアンプ４は、電源オンの場合にはスピーカー５を駆動できる通常動作状態になり、電源がオフされると、スタンバイスルー状態となる。スタンバイスルー状態は、操作部４６の操作により主要機能の電源がオフにされてはいるが、商用電源等の電源には接続されており、少なくともＣＥＣコマンドの処理ができる動作状態である。スタンバイスルー状態ではスピーカー５から音を出力しないので、見た目上は電源がオフの状態であるが、映像ソース機器１０から無線送信機３へ、データをパススルー伝送することができる。
制御部４３は、動作状態が、通常動作状態からスタンバイスルー状態へ変化した場合、及びその逆に変化した場合に、動作状態を示すＣＥＣコマンドを生成して、通信部４２から無線送信機３に送信する。
【００３３】
制御部４３は、映像ソース機器１０が送信するデータにＣＥＣコマンドが含まれ、このＣＥＣコマンドがＡＶアンプ４に関するコマンドである場合、このコマンドを実行する。
また、制御部４３は、無線送信機３が送信するＣＥＣコマンドを受信し、受信したコマンドがＡＶアンプ４に関するコマンドである場合、このコマンドを実行する。
ＣＥＣコマンドを受信し、解析し、コマンドを実行する各種動作は、通常動作状態およびスタンバイスルー状態のいずれでも実行できる。
本実施形態で、制御部４３は、ＡＶアンプ４の現在の動作状態（通常動作状態とスタンバイスルー状態）を問い合わせるＣＥＣコマンドを受信した場合、応答として、動作状態を示すＣＥＣコマンドを生成する。
【００３４】
無線送信機３は、通信部３１、制御部３２、無線通信部３３、及び操作部３５を備える。通信部３１はＨＤＭＩケーブルを接続可能なコネクター、及び、インターフェイス回路を備え、通信部４１、４２と同様に構成される。
通信部３１は、ＨＤＭＩケーブル１３に接続される。通信部３１は、ＡＶアンプ４が備える通信部４１と同様に構成され、ＨＤＭＩフォーマットの映像データ、音データ、及びＣＥＣコマンドを、ＨＤＭＩケーブル１３を通じて通信部４２との間で送受信する。通信部３１は、ＡＶアンプ４から受信したデータを無線通信部３３に出力する。また、通信部３１は、無線通信部３３から入力されるＣＥＣコマンドを、ＨＤＭＩケーブル１３を通じてＡＶアンプ４に送信する。
【００３５】
制御部３２は、通信部３１及び無線通信部３３を制御して、ＡＶアンプ４との間のデータ通信、及び、プロジェクター２との間のデータ通信を制御する。制御部３２には、操作部３５が接続される。操作部３５はユーザーが入力操作を行うキースイッチ等の操作子を備え、操作子が操作された場合に、操作信号を制御部３２に出力する。操作部３５は、リモコン（図示略）が送信する無線信号を受信する受信部であってもよく、この場合、操作部３５は、リモコンから受信した無線信号に対応する操作信号を制御部３２に出力する。
無線通信部３３は、プロジェクター２との間で無線通信リンク１５を確立する。無線通信部３３は、通信部３１がＡＶアンプ４から受信するデータを、通信部３１が出力した場合に、このデータを取得して、無線通信リンク１５によりプロジェクター２に送信する。また、無線通信部３３は、プロジェクター２からＣＥＣコマンドを受信した場合に、受信したＣＥＣコマンドを通信部３１、及び、制御部３２に出力する。通信部３１は、無線通信部３３から入力されるＣＥＣコマンドをＡＶアンプ４にパススルー伝送する。
【００３６】
制御部３２は、通信部３１がＡＶアンプ４から受信するデータに含まれるＣＥＣコマンドを取得し、取得したコマンドに対応して、新たにＣＥＣコマンドを生成する。制御部３２は、生成したＣＥＣコマンドを無線通信部３３によりプロジェクター２に送信させる。
また、制御部３２は、無線通信部３３がプロジェクター２からＣＥＣコマンドを受信し、このＣＥＣコマンドが通信部３１から入力された場合に、入力されたコマンドを解析する。
【００３７】
プロジェクター２は、表示部２０、制御部２１、無線通信部２２、デコーダー２４、画像処理部２５、音処理部２６、スピーカー２７、及び操作部２８を備える。
表示部２０は、光源、光源が発する光を変調して画像光を生成する光変調装置、画像光をスクリーンＳＣに投射する光学系等を備える。光源は、キセノンランプや超高圧水銀ランプ等のランプ、或いは、ＬＥＤ（Light Emitting Diode）やレーザー光源等の固体光源を備える。表示部２０は、光源を点灯させる電力やパルス信号等を供給する駆動回路を備えてもよい。また、リフレクターや、投射光の光学特性を高めるためのレンズ群（不図示）、偏光板、光源が発する光を拡散させる光拡散部材、光源が発する光を走査する走査機構、光源が発する光を低減させる調光素子等を備えてもよい。また、光源が発した光をＲ、Ｇ、Ｂの３つの色光に分ける光学部品を備えてもよい。
光変調装置は、例えば、透過型または反射型の液晶ライトバルブ、或いは、デジタルミラーデバイスにより光源が発した光を変調する。表示部２０は、光変調装置の液晶ライトバルブ又はデジタルミラーデバイスを駆動する駆動回路を備えてもよい。
投射光学系は、光変調装置が生成する画像光を集光するレンズ群を備える。投射光学系は、投射画像の拡大・縮小及び焦点の調整を行うズームレンズを含むレンズ群、レンズを動かしてズーム及びフォーカスを調整する機構等を備えてもよい。
【００３８】
制御部２１は、プロジェクター２の各部を制御して、無線通信部２２が無線送信機３から受信するデータに基づき画像をスクリーンＳＣに投射（表示）する。
無線通信部２２（受信部、送信部）は、無線通信部３３との間で無線通信リンク１５を確立し、無線通信リンク１５を通じて映像データ、音データ、及びＣＥＣコマンドを含むデータを受信する。また、無線通信部２２は、制御部２１が生成するコマンドを、無線通信リンク１５を通じて無線送信機３に送信する。
【００３９】
制御部２１は、無線通信部２２が受信するデータをデコーダー２４に入力させる。デコーダー２４は、制御部２１の制御に従って、無線通信部２２が受信するデータに含まれる映像データをデコードして、画像処理部２５に出力する。画像処理部２５は、デコーダー２４がデコードしたデータに基づき、表示部２０の光変調装置を駆動する画像信号を生成する。画像処理部２５は、制御部２１の制御に従って、投射画像を調整する各種処理を実行してもよい。この処理は、映像データに対する解像度変換処理、フレームレート変換処理、画像を変形させることによりスクリーンＳＣ上の投射画像の台形歪みを補正する歪み補正処理、映像データを拡大または縮小するズーム処理、映像データの色調を変更する色調補正処理、映像データの輝度を変更する輝度補正処理等を含む。また、画像処理部２５は、３Ｄ（立体）映像データが入力された場合に、３Ｄ映像データのフォーマットに従って、表示部２０の光変調装置が表示するフレームを生成する３Ｄ画像変換処理を実行してもよい。
【００４０】
また、デコーダー２４は、制御部２１の制御に従って、無線通信部２２が受信するデータに含まれる音データを、音処理部２６に出力する。音処理部２６は、デコーダー２４がデコードした音データに基づき、スピーカー２７から音を出力させる。音処理部２６は、例えば、音データをアナログ音声信号に変換し、制御部２１が指定するゲインで増幅してスピーカー２７に出力し、スピーカー２７から音を出力させる。音処理部２６は、デジタルデータをアナログ音声信号に変換するＤ／Ａコンバーターや、アナログ音声信号を増幅するアンプを含む音響回路を備えてもよい。また、音処理部２６は、デジタルアンプを有し、デジタルデータをアナログ音声信号に変換せず増幅してスピーカー２７に出力してもよい。
【００４１】
スピーカー２７は、例えば、プロジェクター２の本体に内蔵されたスピーカーであり、モノラルスピーカーであってもステレオスピーカーであってもよく、ウーファーを含む多チャンネルスピーカーであってもよい。また、スピーカー２７はデジタルデータを入力可能なスピーカーであってもよい。さらに、ユーザーが装着するヘッドホンをスピーカー２７として使用することもでき、この場合、プロジェクター２は、スピーカー２７に音声信号を出力するケーブルを接続可能な出力端子、或いは、スピーカー２７に無線で音声信号を送信する送信機を備えてもよい。
【００４２】
表示システム１は、スピーカー５により音を出力するＡＶアンプ４を備える。このため、プロジェクター２は、ＡＶアンプ４が電源オフの状態（上記のスタンバイスルー状態）である場合に、スピーカー２７から音を出力し、ＡＶアンプ４が通常動作状態の場合は、スピーカー２７による音の出力を行わない。
制御部２１は、無線通信部２２で受信するデータに含まれるＣＥＣコマンドを解析し、ＡＶアンプ４の動作状態を示すＣＥＣコマンドを検出する。制御部２１は、検出したＣＥＣコマンドに基づいてＡＶアンプ４が通常動作状態であるかスタンバイスルー状態であるかを判定し、判定結果を、制御部２１が内蔵する記憶部（図示略）に記憶する。制御部２１は、ＡＶアンプ４の動作状態の判定結果に基づいて、音処理部２６からスピーカー２７への音声信号の出力のオン／オフを切り替える。
【００４３】
表示システム１は、無線送信機３からプロジェクター２に対し、映像データ、音データ及びＣＥＣコマンドを含むデータを、無線通信リンク１５を通じて無線送信する。ところで、障害物やノイズ等の外的影響により、一時的に無線通信リンク１５の通信状態が悪化した場合、無線送信機３が送信するデータがプロジェクター２で受信できないことが考えられる。この種の通信状態の悪化は、通常、一時的であり、プロジェクター２が映像データ及び音データに関するエラー訂正処理を行うことで、影響を回避できる可能性が高い。
また、エラー訂正で対応できない場合も、一時的な映像や音の乱れが発生するだけで済むことが考えられる。ところが、通信状態の悪化により、プロジェクター２がＣＥＣコマンドを受信できない場合には、プロジェクター２の動作への影響が発生し得る。
【００４４】
具体的には、ＡＶアンプ４が送信する、動作状態を示すＣＥＣコマンドを、プロジェクター２が受信できない場合、プロジェクター２が判定するＡＶアンプ４の動作状態と、実際のＡＶアンプ４の動作状態との不整合が発生する。例えば、ＡＶアンプ４がスタンバイスルー状態に移行してスピーカー５の音出力を停止し、プロジェクター２がスピーカー２７から音を出力しないという事態が起きる。
そこで、表示システム１では、プロジェクター２が、ＣＥＣコマンドを受信できないことがあってもＡＶアンプ４の動作状態を正確に判定できる構成を有する。
【００４５】
図３は、表示システム１の動作を示すシーケンス図であり、具体的には、ＡＶアンプ４の動作状態が変化した場合のＣＥＣコマンドの送受信に係る動作を示す。図３には、ＡＶアンプ４、無線送信機３、及びプロジェクター２のそれぞれの動作を示す。
ＡＶアンプ４の制御部４３は、操作部４６の操作、または、リモコンにより電源オフが指示されると（ステップＳ１００）、電源オフ（スタンバイスルー状態）を示すＣＥＣコマンド（第１のコマンド）を生成して通信部４２から送信する（ステップＳ１０２）。このＣＥＣコマンドは、例えば、ＣＥＣ規格で定義された「Ｓｅｔ  Ｓｙｓｔｅｍ  Ａｕｄｉｏ  Ｍｏｄｅ：ＯＦＦ」コマンドである。
ステップＳ１０２で、ＡＶアンプ４は、映像ソース機器１０がＡＶアンプ４に送信する映像データ及び音データと共に第１のコマンドを送信できる。例えば、映像ソース機器１０がＡＶアンプ４に送信するデータに、制御部４３が生成する第１のコマンドを含める処理を実行し、処理後のデータを通信部４２から送信できる。
【００４６】
制御部４３は、ＡＶアンプ４の各部を制御して、スピーカー５からの音の出力を停止してスタンバイスルー状態に遷移する（ステップＳ１０４）。
スタンバイスルー状態で、制御部４３は、通信部４１で受信するデータを通信部４２で送信するパススルー伝送、通信部４１、４２で受信するＣＥＣコマンドの検出、解析及びコマンドを実行することが可能である。
【００４７】
無線送信機３の通信部３１は、ステップＳ１０２でＡＶアンプ４が送信した第１コマンド（第２制御コマンド）を含むデータを受信し（ステップＳ２００）、受信したデータを無線通信部３３に転送し、無線通信部３３がデータをプロジェクター２に無線送信する（ステップＳ２０２）。
【００４８】
プロジェクター２の無線通信部２２は、ＡＶアンプ４が能動的、即ち、問い合せコマンドの受信に依ることなく、自身のステータスが変更されたような場合に、自身が判断して送信したデータを受信する（ステップＳ３００）＜第２受信工程＞。制御部２１は、無線通信部２２が受信するデータに含まれる第１コマンドを解析し（ステップＳ３０２）、第１コマンドから「Ｓｅｔ  Ｓｙｓｔｅｍ  Ａｕｄｉｏ  Ｍｏｄｅ：ＯＦＦ」コマンドを抽出し（ステップＳ３０４）＜第２抽出工程＞、ＡＶアンプ４からのスピーカー出力が停止指示され、スタンバイスルー状態（第１ステータス（第２ステータス情報））であることを認知し、ステップＳ３２８に進む。
【００４９】
ここで、ステップＳ３２８について説明する前に、プロジェクター２がＡＶアンプ４に対してステータスを問い合わせる処理について説明する。
制御部２１は、ＡＶアンプ４のステータスを問い合わせるイベントを所定のタイミングで発生させる（ステップＳ３１０）。このイベントは、ステップＳ３２０のように、ＡＶアンプ４からステータスを示すコマンドを所定時間に亘り受信できない場合や、接続されている外部機器の有無を調べるべく、プロジェクター２が定期的に確認コマンドを送信するポーリングを行った場合に発生するように設定されている。
尚、本実施形態では、ポーリングの結果、ＡＶアンプ４が通信可能に接続されていると判定した場合、制御部２１はイベントを発生させ、ＡＶアンプ４が通信可能に接続されていないと判定した場合、制御部２１はイベントを発生させないように制御される。
【００５０】
このイベントが発生すると、制御部２１は、ステータスを問い合わせるコマンド、例えば、ＣＥＣ規格で定義された「Ｇｉｖｅ  Ｓｙｓｔｅｍ  Ａｕｄｉｏ  Ｍｏｄｅ  Ｓｔａｔｕｓ」コマンドを生成する（ステップＳ３１２）。
更に、制御部２１は、生成した問合せ用のコマンドを無線通信部２２により無線送信機３に送信する（ステップＳ３１４）。
無線送信機３の制御部３２は、プロジェクター２が送信した問合せ用のコマンドを無線通信部３３が受信したことを検出すると（ステップＳ２１０）、この問合せ用のコマンドを通信部３１からＡＶアンプ４に送信する（ステップＳ２１２）。
ＡＶアンプ４は、通信部４２で問合せ用のコマンドを受信し（ステップＳ１１０）、受信したコマンドを制御部４３が解析する（ステップＳ１１２）。制御部４３は、受信したコマンドが「Ｇｅｔ  Ｓｙｓｔｅｍ  Ａｕｄｉｏ  Ｍｏｄｅ  Ｓｔａｔｕｓ」コマンドであることを認識すると、このコマンドに応答して、ＡＶアンプ４の動作状態（スタンバイスルー状態）を示す第２コマンド（第１制御コマンド）を生成して通信部４２から送信する（ステップＳ１１４）。
【００５１】
無線送信機３の通信部３１は、ステップＳ１１４でＡＶアンプ４が送信した第２コマンドを含むデータを受信し（ステップＳ２２０）、受信したデータを無線通信部３３に転送し、無線通信部３３がデータをプロジェクター２に無線送信する（ステップＳ２２２）。
プロジェクター２の無線通信部２２は、無線送信機３が送信したデータを受信する（ステップＳ３２０）＜第１受信工程＞。制御部２１は、無線通信部２２が受信するデータに含まれる第２コマンドを解析し（ステップＳ３２２）、第２コマンドからスタンバイスルー状態であることを抽出し（ステップＳ３２４）＜第１抽出工程＞、第２ステータス（第１ステータス情報）を最新のステータスとして記憶する（ステップＳ３２６）。
ここで、比較工程であるステップＳ３２８について説明する。ステップＳ３２８では、プロジェクター２の制御部２１は、ＡＶアンプ４への問い合わせにより取得して記憶した第２ステータスを読み出し、読み出した第２ステータスと、ＡＶアンプ４から能動的に送られた第１ステータスと、を比較する。
【００５２】
次に、制御部２１は、２つのステータスが同一であるか、否かを判定し（ステップＳ３３０）＜判定工程＞、２つのステータスが同一であるかと判定した場合（ステップＳ３３０でＹｅｓ）、制御部２１は、無線通信リンク１５の通信状態は正常であると判定し、第１ステータス（第２ステータス）に基づいて動作を決定する（ステップＳ３３２）。
他方で、２つのステータスが同一でないと判定した場合（ステップＳ３３０でＮｏ）、制御部２１は、無線通信リンク１５の通信状態が悪化したと判定し、第２ステータスに基づいて動作を決定する（ステップＳ３３４）＜決定工程＞。
尚、本実施形態において決定される動作は、ＡＶアンプ４の電源オフ（スタンバイスルー状態）に対応する動作であり、制御部２１はスピーカー２７による音の出力を開始する。この結果、ＡＶアンプ４のスピーカー５からの音声出力に替えて、プロジェクター２のスピーカー２７から音声が出力される。
以上の処理により、無線通信リンク１５の通信状態が一時的に悪化して、ＡＶアンプ４が生成したＣＥＣコマンドをプロジェクター２が正常に受信できなかった場合、ＣＥＣコマンドの欠落をプロジェクター２が判定し、直近の問い合せコマンドにより得られたステータスに基づいて動作を決定できる。このため、プロジェクター２は、通信の不具合が生じた場合であっても、ＡＶアンプ４の実際の動作状態に合わせて動作できる。
【００５３】
尚、表示システム１では、無線送信機３とプロジェクター２はＨＤＭＩフォーマットのデータを送受信し、ＡＶアンプ４が送信するコマンドはＣＥＣで定義済みのコマンドであり、確認コマンドはＶｅｎｄｅｒ  Ｓｐｅｃｉｆｉｃコマンドである。このため、ＣＥＣのＶｅｎｄｅｒ  Ｓｐｅｃｉｆｉｃコマンドを利用して、ＨＤＭＩのフォーマットに適合する手法により、通信の不具合に対応することが可能となる。
なお、上述した実施形態は本発明を適用した具体的態様の例に過ぎず、本発明を限定するものではなく、上記実施形態とは異なる態様として本発明を適用することも可能である。例えば、上記実施形態では、プロジェクター２がＡＶアンプ４の動作状態に対応して、スピーカー２７の音の出力を停止または開始する構成を例に挙げて説明したが、これはあくまで一例であり、本発明はこれに限定されない。本発明は、送信装置である無線送信機３に接続された外部の装置が送信するコマンドに対応して、受信装置であるプロジェクター２が動作を切り替えるものであれば、適用可能である。
【００５４】
例えば、無線送信機３に、プロジェクター２とは異なる表示装置を接続し、この表示装置の電源のオン、オフに対応して、プロジェクター２がスクリーンＳＣへの表示をオン、オフさせる構成にも本発明を適用できる。また、無線送信機３に接続する装置の数に制限はなく、上記の表示装置とＡＶアンプ４とを無線送信機３に接続してもよいし、ＡＶアンプ４に別の表示装置を接続してもよく、映像ソース機器１０とは別の映像ソース機器をＡＶアンプ４に接続してもよい。
更に、図１に示した装置よりも多くの装置をデイジーチェーン接続してもよい。また、例えば、映像ソース機器１０が無線送信機３に接続され、映像ソース機器１０が送信するコマンドに対応してプロジェクター２が動作を制御する構成としてもよく、例えば映像ソース機器１０の電源のオフに対応して、プロジェクター２が、内蔵する記憶部（図示略）に記憶する映像データを表示してもよい。また、無線送信機３が確認コマンドを生成する条件は、無線送信機３に接続された装置の電源オン、オフを示すコマンドに限られない。例えば、新たな装置が表示システム１に接続されたことを示すコマンドや、映像フォーマットの変更を示すコマンド等が送信された場合に、無線送信機３が確認コマンドを生成して、図３で説明した動作を実行してもよい。
【００５５】
また、本発明の表示装置は、スクリーンＳＣに画像を投射するプロジェクター２に限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示部２０に相当する。
【００５６】
また、図１に示した表示システム１の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、表示システム１の他の各部の具体的な細部構成についても、本発明の趣旨を逸脱しない範囲で任意に変更可能である。
【符号の説明】
【００５７】
１…表示システム、２…プロジェクター、３…無線送信機、４…ＡＶアンプ、５…スピーカー、１０…映像ソース機器、１１…ＨＤＭＩケーブル、１３…ＨＤＭＩケーブル、１５…無線通信リンク、２０…表示部、２１…制御部、２２…無線通信部、２４…デコーダー、２５…画像処理部、２６…音処理部、２７…スピーカー、２８…操作部、３１…通信部、３２…制御部、３３…無線通信部、３５…操作部、４１…通信部、４２…通信部、４３…制御部、４４…音処理部、４５…音響回路、４６…操作部。
【図１】
2016091160.tif 000003
【図２】
2016091160.tif 000004
【図３】
2016091160.tif 000005